(57)【要約】  繊維製品に、保湿効果、肌の老化抑制、肌質改善効果、褥瘡の予防、治療効果、アトピー性皮膚炎の予防、改善効果、抗炎症、創傷治癒効果等の機能性を付与することのできる機能性付与剤を提供する。  本発明は、ヒドロキシプロリンもしくはヒドロキシプロリンのＮ−アシル化誘導体又はその塩を含有する、繊維製品への機能性付与剤；並びに前記機能性付与剤を用いた機能性繊維製品、特に建装・寝装材及び製品、インテリア材及び製品、自動車内装材及び製品、介護用材料及び製品、衣類、布オムツ、紙オムツ、ウエットティッシュ及びティッシュペーパーに関する。【特許請求の範囲】
【請求項１】
ヒドロキシプロリンもしくはヒドロキシプロリンのＮ−アシル化誘導体又はその塩を含有する、繊維製品への機能性付与剤。
【請求項２】
ヒドロキシプロリンのＮ−アシル化誘導体が、Ｎ−アセチル化誘導体、Ｎ−プロピオニル化誘導体、Ｎ−ブチリル化誘導体又はＮ−イソブチリル化誘導体である請求項１記載の機能性付与剤。
【請求項３】
マイクロカプセル化、サイクロデキストリンによる包接化、又はベシクル構造体化されている請求項１記載の機能性付与剤。
【請求項４】
バインダーを含有する請求項１記載の機能性付与剤。
【請求項５】
繊維製品を請求項１〜４のいずれか１項に記載の機能性付与剤で処理することを特徴とする機能性繊維製品の製造方法。
【請求項６】
ヒドロキシプロリンもしくはヒドロキシプロリンのＮ−アシル化誘導体又はその塩が結合されている建装・寝装材及び製品、インテリア材及び製品、自動車内装材及び製品、並びに介護用材料及び製品。
【請求項７】
ヒドロキシプロリンのＮ−アシル化誘導体が、Ｎ−アセチル化誘導体、Ｎ−プロピオニル化誘導体、Ｎ−ブチリル化誘導体又はＮ−イソブチリル化誘導体である請求項６記載の建装・寝装材及び製品、インテリア材及び製品、自動車内装材及び製品、並びに介護用材料及び製品。
【請求項８】
ヒドロキシプロリンもしくはヒドロキシプロリンのＮ−アシル化誘導体又はその塩が結合されている衣類。
【請求項９】
ヒドロキシプロリンのＮ−アシル化誘導体が、Ｎ−アセチル化誘導体、Ｎ−プロピオニル化誘導体、Ｎ−ブチリル化誘導体又はＮ−イソブチリル化誘導体である請求項８記載の衣類。
【請求項１０】
ヒドロキシプロリンもしくはヒドロキシプロリンのＮ−アシル化誘導体又はその塩が結合されている布オムツ、紙オムツ、ウエットティッシュ及びティッシュペーパー。
【請求項１１】
ヒドロキシプロリンのＮ−アシル化誘導体が、Ｎ−アセチル化誘導体、Ｎ−プロピオニル化誘導体、Ｎ−ブチリル化誘導体又はＮ−イソブチリル化誘導体である請求項１０記載の布オムツ、紙オムツ、ウエットティッシュ及びティッシュペーパー。
【発明の詳細な説明】
【技術分野】
【０００１】
本発明は、ヒドロキシプロリンもしくはヒドロキシプロリンのＮ−アシル化誘導体又はその塩を含有する、繊維製品に対する機能性付与剤、機能性繊維製品、及び機能性繊維製品の製造方法に関する。
【背景技術】
【０００２】
ヒドロキシプロリンもしくはヒドロキシプロリンのＮ−アシル化誘導体又はその塩は、保湿効果を示すアミノ酸として知られており、化粧料として肌の老化抑制及び肌質改善等の美肌効果があること（例えば、特許文献１）、褥瘡の予防、治療効果があること（例えば、特許文献２）、アトピー性皮膚炎の予防、改善効果があること（例えば、特許文献３）、抗炎症、創傷治癒効果があること（例えば、非特許文献１）が知られている。【０００３】
また、特許文献４にはアミノ酸類を含有する繊維製品への機能性付与剤が、特許文献５には繊維ウエブが開示されているが、該アミノ酸類として、ヒドロキシプロリンもしくはヒドロキシプロリンのＮ−アシル化誘導体又はその塩の具体的な記載はない。
【特許文献１】国際公開第００／５１５６１号パンフレット
【特許文献２】国際公開第２００４／２８５３１号パンフレット
【特許文献３】国際公開第０２／６２２５号パンフレット
【特許文献４】特開２００４−３２４０２６号公報
【特許文献５】国際公開第９６／３１６４４号パンフレット
【非特許文献１】ユーロピアン  メヂカル  リサーチ  ３巻、１８２−１８８頁、１９９８年
【発明の開示】
【発明が解決しようとする課題】
【０００４】
本発明は、ヒドロキシプロリンもしくはヒドロキシプロリンのＮ−アシル化誘導体又はその塩の持つ優れた機能を、衣服、寝具、紙オムツ等に汎用されている繊維基材に対して、該繊維基材の優れた特性を生かしたまま付与することを試みたもので、従来の繊維の製造工程、特性を大幅に変更することなく、優れた機能性繊維製品を提供することを課題とする。
【課題を解決するための手段】
【０００５】
本発明の要旨は、以下のとおりである。【０００６】
（１）ヒドロキシプロリンもしくはヒドロキシプロリンのＮ−アシル化誘導体又はその塩を含有する、繊維製品への機能性付与剤。【０００７】
（２）ヒドロキシプロリンのＮ−アシル化誘導体が、Ｎ−アセチル化誘導体、Ｎ−プロピオニル化誘導体、Ｎ−ブチリル化誘導体又はＮ−イソブチリル化誘導体である前記第１項に記載の機能性付与剤。【０００８】
（３）マイクロカプセル化、サイクロデキストリンによる包接化、又はベシクル構造体化されている前記第１又は２項に記載の機能性付与剤。【０００９】
（４）バインダーを含有する前記第１〜３項のいずれかに記載の機能性付与剤。【００１０】
（５）繊維製品を前記第１〜４項のいずれかに記載の機能性付与剤で処理することを特徴とする機能性繊維製品の製造方法。【００１１】
（６）ヒドロキシプロリンもしくはヒドロキシプロリンのＮ−アシル化誘導体又はその塩が結合されている建装・寝装材及び製品、インテリア材及び製品、自動車内装材及び製品、並びに介護用材料及び製品。【００１２】
（７）ヒドロキシプロリンのＮ−アシル化誘導体が、Ｎ−アセチル化誘導体、Ｎ−プロピオニル化誘導体、Ｎ−ブチリル化誘導体又はＮ−イソブチリル化誘導体である前記第６項に記載の建装・寝装材及び製品、インテリア材及び製品、自動車内装材及び製品、並びに介護用材料及び製品。【００１３】
（８）ヒドロキシプロリンもしくはヒドロキシプロリンのＮ−アシル化誘導体又はその塩が結合されている衣類。【００１４】
（９）ヒドロキシプロリンのＮ−アシル化誘導体が、Ｎ−アセチル化誘導体、Ｎ−プロピオニル化誘導体、Ｎ−ブチリル化誘導体又はＮ−イソブチリル化誘導体である前記第８項に記載の衣類。【００１５】
（１０）ヒドロキシプロリンもしくはヒドロキシプロリンのＮ−アシル化誘導体又はその塩が結合されている布オムツ、紙オムツ、ウエットティッシュ及びティッシュペーパー。【００１６】
（１１）ヒドロキシプロリンのＮ−アシル化誘導体が、Ｎ−アセチル化誘導体、Ｎ−プロピオニル化誘導体、Ｎ−ブチリル化誘導体又はＮ−イソブチリル化誘導体である前記第１０項に記載の布オムツ、紙オムツ、ウエットティッシュ及びティッシュペーパー。
【発明の効果】
【００１７】
本発明によれば、繊維製品に、保湿性、肌の老化抑制及び肌質改善等の美肌効果、褥瘡防止性、抗アトピー性、抗炎症性、創傷治癒効果等の機能性を付与することができる。
【発明を実施するための最良の形態】
【００１８】
本発明で用いられるヒドロキシプロリンは、いずれのヒドロキシプロリンの立体異性体であってもよい。すなわち、ヒドロキシプロリンのプロリンがＤ体かＬ体か、また水酸基の位置が３位か４位か、及びその立体異性体がシスかトランスかによって８種類の立体異性体があるが、これらの化合物及びそれらの混合物のいずれも本発明に用いることができる。【００１９】
具体的なヒドロキシプロリンとしては、シス−４−ヒドロキシ−Ｌ−プロリン、シス−４−ヒドロキシ−Ｄ−プロリン、シス−３−ヒドロキシ−Ｌ−プロリン、シス−３−ヒドロキシ−Ｄ−プロリン、トランス−４−ヒドロキシ−Ｌ−プロリン、トランス−４−ヒドロキシ−Ｄ−プロリン、トランス−３−ヒドロキシ−Ｌ−プロリン及びトランス−３−ヒドロキシ−Ｄ−プロリンがあげられる。【００２０】
ヒドロキシプロリンは、コラーゲン中の主要構成アミノ酸成分として、また、エラスチンの構成アミノ酸として自然界に広く存在するアミノ酸の一種であり、例えばブタやウシ等の動物由来のコラーゲンを酸加水分解し、常法により精製することにより製造することができる。【００２１】
トランス−４−ヒドロキシ−Ｌ−プロリンは、アミコラトプシス（Amycolatopsis）属又はダクチロスポランジウム（Dactylosporangium）属微生物より単離したプロリン４位水酸化酵素（特開平７−３１３１７９号公報）を用いて製造することができる。また、シス−３−ヒドロキシ−Ｌ−プロリンは、ストレプトマイセス（Streptomyces）属微生物より単離したプロリン３位水酸化酵素（特開平７−３２２８８５号公報）を用いて製造することができる（バイオインダストリー, １４巻, ３１号, １９９７年）。【００２２】
前記の微生物由来の酵素を用いて製造されるヒドロキシプロリンは、品質が優れており、本発明で用いるヒドロキシプロリンとしてより好ましい。【００２３】
本発明で用いられるヒドロキシプロリンのＮ−アシル化誘導体としては、前記の各種ヒドロキシプロリンの立体異性体のＮ−アシル化誘導体をあげることができる。該Ｎ−アシル化誘導体のアシル基としては、好ましくは炭素数１〜２４、より好ましくは炭素数１〜１２、特に好ましくは炭素数１〜６のアシル基があげられ、具体的には、例えばホルミル、アセチル、プロピオニル、ブチリル、イソブチリル、バレリル、ピバロイル、ヘキサノイル、ヘプタノイル、オクタノイル、ノナノイル、デカノイル、ウンデカノイル、ドデカノイル等をあげることができ、特にアセチル、プロピオニル、ブチリル、イソブチリルが好ましい。【００２４】
ヒドロキシプロリンもしくはヒドロキシプロリンのＮ−アシル化誘導体の塩としては、ナトリウム、カリウム、リチウム等のアルカリ金属塩、カルシウム、マグネシウム等のアルカリ土類金属塩、アンモニウム塩、モノエタノールアミン、ジエタノールアミン、トリエタノールアミン、トリイソプロパノールアミンなどのアミンの付加塩及びアルギニン、リジン等の塩基性アミノ酸の付加塩などをあげることができる。【００２５】
ヒドロキシプロリンのＮ−アシル化誘導体は、公知の方法により調製することができる。例えば、ヒドロキシプロリンのＮ−アシル化誘導体は、直鎖又は分岐状の炭素数１〜２４の飽和又は不飽和の脂肪酸を塩化チオニル、ホスゲン等のハロゲン化剤を用いてクロライド、ブロマイド等のハロゲン化物に変換した後、前述のヒドロキシプロリンと縮合させるか、又は脂肪酸を酸無水物に変換した後、ヒドロキシプロリンと反応させることにより製造することができる。【００２６】
脂肪酸としては、例えばギ酸、酢酸、プロピオン酸、酪酸、イソ酪酸、吉草酸、イソ吉草酸、ピバル酸、ヘキサン酸、ヘプタン酸、オクタン酸、ノナン酸、デカン酸、ウンデカン酸、ドデカン酸等の脂肪酸を単独又は組合せたものが用いられる。【００２７】
酸ハロゲン化物を経由するヒドロキシプロリンのＮ−アシル化誘導体の製造方法を、以下に例示する。【００２８】
脂肪酸を塩化メチレン、クロロホルム、四塩化炭素、ベンゼン、トルエン、キシレン、ｎ−ヘキサン等の溶媒中に分散し、これに１〜５倍当量のハロゲン化剤を添加して反応させ、脂肪酸ハライドを得る。次に、ヒドロキシプロリンを溶媒に溶解又は分散させ、得られた溶液を５〜７０℃に保ちながら、前記の脂肪酸ハライドをヒドロキシプロリンに対して０．３〜３．０倍当量加え、アシル化反応を行うことによりヒドロキシプロリンのＮ−アシル化誘導体を製造することができる。【００２９】
アシル化反応に用いられる溶媒としては、水、メタノール、エタノール、イソプロパノール、イソブタノール、アセトン、トルエン、テトラヒドロフラン、酢酸エチル、Ｎ，Ｎ−ジメチルホルムアミド、ジメチルスルホキシド等があげられ、これらは単独又は混合して用いてもよい。ヒドロキシプロリンを溶媒に溶解又は分散する際、ヒドロキシプロリンに対して０．８〜２．０倍当量の水酸化ナトリウム、水酸化カリウム等のアルカリ物質を必要に応じて溶媒に溶解又は分散させてもよい。【００３０】
ヒドロキシプロリンのＮ−アシル化誘導体の塩を取得したいとき、ヒドロキシプロリンのＮ−アシル化誘導体が塩の形で得られる場合には、そのまま精製すればよく、遊離の形で得られる場合には、適当な溶媒に溶解又は懸濁し、塩基を加えて塩を形成させればよい。【００３１】
精製は、例えば結晶化、クロマトグラフィー等の通常の方法が用いられる。【００３２】
具体的なヒドロキシプロリンのＮ−アシル化誘導体としては、例えば、Ｎ−アセチル−シス−４−ヒドロキシ−Ｌ−プロリン、Ｎ−アセチル−シス−４−ヒドロキシ−Ｄ−プロリン、Ｎ−アセチル−シス−３−ヒドロキシ−Ｌ−プロリン、Ｎ−アセチル−シス−３−ヒドロキシ−Ｄ−プロリン、Ｎ−アセチル−トランス−４−ヒドロキシ−Ｌ−プロリン、Ｎ−アセチル−トランス−４−ヒドロキシ−Ｄ−プロリン、Ｎ−アセチル−トランス−３−ヒドロキシ−Ｌ−プロリン、Ｎ−アセチル−トランス−３−ヒドロキシ−Ｄ−プロリン、Ｎ−プロピオニル−シス−４−ヒドロキシ−Ｌ−プロリン、Ｎ−プロピオニル−シス−４−ヒドロキシ−Ｄ−プロリン、Ｎ−プロピオニル−シス−３−ヒドロキシ−Ｌ−プロリン、Ｎ−プロピオニル−シス−３−ヒドロキシ−Ｄ−プロリン、Ｎ−プロピオニル−トランス−４−ヒドロキシ−Ｌ−プロリン、Ｎ−プロピオニル−トランス−４−ヒドロキシ−Ｄ−プロリン、Ｎ−プロピオニル−トランス−３−ヒドロキシ−Ｌ−プロリン、Ｎ−プロピオニル−トランス−３−ヒドロキシ−Ｄ−プロリン、Ｎ−ブチリル−シス−４−ヒドロキシ−Ｌ−プロリン、Ｎ−ブチリル−シス−４−ヒドロキシ−Ｄ−プロリン、Ｎ−ブチリル−シス−３−ヒドロキシ−Ｌ−プロリン、Ｎ−ブチリル−シス−３−ヒドロキシ−Ｄ−プロリン、Ｎ−ブチリル−トランス−４−ヒドロキシ−Ｌ−プロリン、Ｎ−ブチリル−トランス−４−ヒドロキシ−Ｄ−プロリン、Ｎ−ブチリル−トランス−３−ヒドロキシ−Ｌ−プロリン、Ｎ−ブチリル−トランス−３−ヒドロキシ−Ｄ−プロリン、Ｎ−イソブチリル−シス−４−ヒドロキシ−Ｌ−プロリン、Ｎ−イソブチリル−シス−４−ヒドロキシ−Ｄ−プロリン、Ｎ−イソブチリル−シス−３−ヒドロキシ−Ｌ−プロリン、Ｎ−イソブチリル−シス−３−ヒドロキシ−Ｄ−プロリン、Ｎ−イソブチリル−トランス−４−ヒドロキシ−Ｌ−プロリン、Ｎ−イソブチリル−トランス−４−ヒドロキシ−Ｄ−プロリン、Ｎ−イソブチリル−トランス−３−ヒドロキシ−Ｌ−プロリン、Ｎ−イソブチリル−トランス−３−ヒドロキシ−Ｄ−プロリン等をあげることができる。【００３３】
本発明の機能性付与剤は、ヒドロキシプロリンもしくはヒドロキシプロリンのＮ−アシル化誘導体又はその塩を０．０１〜３０重量％含有することが好ましい。【００３４】
本発明の機能性付与剤は、例えば、ヒドロキシプロリンもしくはヒドロキシプロリンのＮ−アシル化誘導体又はその塩０．０１〜３０重量部に、必要によりソルビトール、ソルビット等の安定化剤を０．１〜１０重量部、例えば、５−クロロ−２−メチル−４−イソチアゾリン−３−オンと２−メチル−４−イソチアゾリン−３−オンの複合製剤（商品名：ケーソン）等のイソチアゾリン系抗菌剤等の防腐剤を０．０５〜０．３重量部、バインダーを０．５〜２５重量部、更に水を全量が１００重量部となるように加えて製造する。【００３５】
本発明の機能性付与剤には、更に、ペプチド、ヒドロキシプロリンもしくはヒドロキシプロリンのＮ−アシル化誘導体又はその塩以外のアミノ酸類、ビタミン類、セラミド、甘草エキスのグリチルリチン酸類、ラズベリー類のエキス、ラベンダーエキス、ジャスミンエキス、ペパーミントエキス、ローズマリーエキス、ローマンカモミールエキス、ユーカリエキス、ヒノキチオール、竹エキス、アロエエキス、カテキン、グレープフルーツエキス、レモンエキス、ホホバ油、オリーブ油、柑橘油、海藻エキス、スクワラン類、コラーゲン及びブドウ糖類からなる群から選ばれる少なくとも一種を組み合わせてもよい。【００３６】
前記ペプチドとしては、シルクプロテイン、フィブロイン等が挙げられ、前記アミノ酸類としては、グルタミン酸、アスパラギン酸、グリシン、シスチン、セリン、ヒスチジン、リジン、アルギニン、ロイシン等が挙げられるが、これらに限られるものではない。前記ビタミン類としては、ビタミンＡ、ビタミンＣ、ビタミンＥ等が効果的に使用でき、甘草エキスの前記グリチルリチン酸類としては、グリチルリチン酸、グリチルレチン酸、グリチルリチン酸ナトリウム、グリチルリチン酸カリウム、グリチルリチン酸アンモニウム等が挙げられる。更に、前記ラズベリー類としては、ラズベリー、ラズベリーケトン等が挙げられ、前記スクワラン類としては、スクワラン、スクワレン等が挙げられ、前記ブドウ糖類としては、ブドウ糖、キシリトール、エリスリトール等が挙げられる。更に、キチン、キトサン等の抗菌剤を組み合わせてもよい。中でも、シルクプロテイン、フィブロイン、スクワラン等との組み合わせが、衣類などにした場合に非常に特徴のあるソフトでボリューム感のある風合が得られるので、特に好ましい。【００３７】
本発明の機能性付与剤において、ヒドロキシプロリンもしくはヒドロキシプロリンのＮ−アシル化誘導体又はその塩等の成分は、通常の状態のまま使用してもよいが、マイクロカプセル化、サイクロデキストリンによる包接化又はベシクル構造体化して使用してもよく、この場合、油性はもちろん、親水性の化合物でも繊維類や、不織布、繊維ウエブに洗濯耐久性よく付与することが可能となり、特にバインダーの使用により洗濯耐久性の向上が可能となる。前記ベシクル構造体は、特定の濃度において、分子重合体を形成する界面活性剤を利用するもので、界面活性剤分子集合体すなわちベシクル袋状２分子膜は、内部に水相と油相を有する。その油相に、油性の化合物等をベンジルベンゾエート等の溶剤に溶解し、ベシクル構造体の油相部へ保持させる。【００３８】
本発明の機能性付与剤は、バインダーを含有する場合には、そのまま繊維製品に固着させることが可能であり、またバインダーを含有しない場合には、別途バインダーを使用して固着させることができる。前記バインダーとしては、アクリル酸エステル系、例えば大原パラヂウム化学株式会社製のパラレジンＧＨ−Ｓ、ウレタン系バインダー、例えば大原パラヂウム化学株式会社製のパラゾールＰＮ−２０、シリコーン系バインダー、例えば東レシリコーン株式会社製のトーレ・シリコーンＢＹ２２−８２６、その他、フッ素系、エポキシ系などのポリマーを使用するのが好ましい。なお、バインダーの使用量は、ヒドロキシプロリンもしくはヒドロキシプロリンのＮ−アシル化誘導体又はその塩０．０１〜３０重量部に対して、好ましくは０．５〜２５重量部である。【００３９】
なお、本発明では、かかる機能性付与剤を繊維製品に固着させ、繊維製品に、保湿性、肌の老化抑制及び肌質改善等の美肌効果、抗アトピー、抗炎症、創傷治癒効果、褥瘡防止性などの機能性を付与することができるが、この際、機能性付与剤は、バインダーを含む処理液とし、繊維製品にディッピング、パディング、コーティング、スプレー加工等の公知の方法で付着させ、乾燥固着すればよい。【００４０】
処理される繊維製品は、糸、織物、編物、不織布、繊維ウエブ等のいずれの形状でもよく、繊維の種類も、特に限定されない。繊維製品への、機能性付与剤の付着量は、特に限定されないが、固形分で通常０．０５〜５重量％程度、好ましくは１〜３重量％である。【００４１】
本発明の建装・寝装材及び製品、インテリア材及び製品、自動車内装材及び製品、介護用材料及び製品とは、ヒドロキシプロリンもしくはヒドロキシプロリンのＮ−アシル化誘導体又はその塩を木綿１００％、木綿／ポリエステル混紡品、麻／ポリエステル混紡品等の繊維に結合させた、布団生地、毛布、シーツ、イス用生地、カーペット、カーシート用生地、シートカバー等を示し、これらの用品に用いるヒドロキシプロリンもしくはヒドロキシプロリンのＮ−アシル化誘導体又はその塩はどのようなものでもよいが、ヒドロキシプロリン、アセチルヒドロキシプロリン等を用いることが好ましい。【００４２】
本発明の衣類とは、ヒドロキシプロリンもしくはヒドロキシプロリンのＮ−アシル化誘導体又はその塩を木綿１００％、ポリエステル１００％、木綿／ポリエステル混品、ナイロン１００％、木綿／ナイロン混品等の繊維に結合させた肌着、パンティーストッキング、タイツ、シャツ、ブラウス、カジュアルウエア、ジーンズ、パンツ等の衣類を示し、当該衣類に用いるヒドロキシプロリンもしくはヒドロキシプロリンのＮ−アシル化誘導体又はその塩はどのようなものでもよいが、ヒドロキシプロリン、アセチルヒドロキシプロリン等を用いることが好ましい。【００４３】
本発明の布オムツ、紙オムツ、ウエットティッシュ、ティッシュペーパーとは、ヒドロキシプロリンもしくはヒドロキシプロリンのＮ−アシル化誘導体又はその塩を、布オムツに関しては木綿、紙オムツに関しては通常用いられる吸水性樹脂（特開平９−１５７５４３号参照）、ウエットティッシュに関しては紙に結合させて製品化したものを示す。また、安全性の高い天然物からなる抗菌剤、消臭剤や、銀コロイド等の抗菌剤、消臭剤等との併用使用でもよい。当該布オムツ、紙オムツ、ウエットティッシュ、ティッシュペーパーに用いられるヒドロキシプロリンもしくはヒドロキシプロリンのＮ−アシル化誘導体又はその塩はどのようなものでもよいが、ヒドロキシプロリン、アセチルヒドロキシプロリン等を用いることが好ましい。【００４４】
本明細書は、本願の優先権の基礎である特願２００５−１３４１２４の明細書に記載された内容を包含する。
【実施例】
【００４５】
次に、本発明の実施例を示すが、実施例において部とあるのは、特に断らない限り、重量部を示す。【００４６】
〔実施例１〕
Ｎ−アセチル−トランス−４−ヒドロキシ−Ｌ−プロリン２０部、グリチルリチン酸アンモニウム２０部、エタノール５部、ラウリルアルコールのエチレンオキサイド１０モル付加物１０部、バインダーとしてシリコーン系樹脂（東レシリコーン株式会社製トーレ・シリコーンＢＹ２２−８２６；以下同様）を２０部、残りを水で全量１００部とし、繊維布帛用機能性付与剤とした。【００４７】
次に目付が３００ｇ／ｍ２の木綿平織物を、前記機能性付与剤を１００ｇ／Ｌとなるように水で希釈した液に浸漬後、ピックアップ率１００％となるようにマングルで絞り、１００℃で予備乾燥した。次いで、１７０℃で３分間熱処理して介護用シーツとした。この製品は、褥瘡予防効果があり、介護用シーツとして非常に有用なものとなった。【００４８】
〔実施例２〕
トランス−４−ヒドロキシ−Ｌ−プロリン２０部、グリチルリチン酸アンモニウム２０部、エタノール５部、トリデシルアルコールのエチレンオキサイド１０モル付加物１０部、バインダーとしてシリコーン系樹脂を２０部、残りを水で全量１００部とし、繊維布帛用機能性付与剤とした。【００４９】
次に目付が３００ｇ／ｍ２の木綿デニム織物を、前記機能性付与剤を１００ｇ／Ｌとなるように水で希釈した液に浸漬後、ピックアップ率１００％となるようにマングルで絞り、１００℃で予備乾燥した。次いで、１７０℃で３分間熱処理して、ジーンズに縫製した。この製品は、保湿、美肌効果があり、機能性衣類として非常に有用なものとなった。【００５０】
〔実施例３〕
Ｎ−アセチル−トランス−４−ヒドロキシ−Ｌ−プロリン１０部、スクワランのシリカマイクロカプセル１５部を、エタノール５部、ラウリルアルコールのエチレンオキサイド１０モル付加物１０部、バインダーとしてシリコーン系樹脂を２０部、残りを水で全量１００部とし、繊維ウエブ用機能性付与剤とした。【００５１】
次に、前記機能性付与剤を３０ｇ／Ｌに水で薄めた液を、目付が２５ｇ／ｍ２のウエットティッシュ用紙（セルロース繊維ウエブ）にキスロールでピックアップが５０％になるように付着させた後、ウエットティッシュ製品に成形加工した。【００５２】
〔比較例１〕
実施例３のＮ−アセチル−トランス−４−ヒドロキシ−Ｌ−プロリンを除いた代わりに水の使用量を増加させて合計１００部とした。【００５３】
実施例３と比較例１で得たウエットティッシュを、肘部分に当て、ナイロンフィルムでカバーし、その上から皮膚用接着テープで止めて４時間放置した後、マイクロスコープで皮膚の状態を拡大観察したところ、実施例３の製品は肌質改善等の美肌効果を示すのに対し、比較例１の製品は、美肌効果を示さなかった。【００５４】
〔実施例４〕
トランス−４−ヒドロキシ−Ｌ−プロリン２０部、スクワランとラズベリーエキスのベシクル構造体２０部をエタノール５部、ラウリルアルコールのエチレンオキサイド１０モル付加物１０部、バインダーとしてシリコーン系樹脂を２０部、残りを水で全量１００部とし、繊維布帛用機能性付与剤とした。【００５５】
次に目付が２００ｇ／ｍ２の繊維ニット（ナイロン２０％、アクリル５０％、ウール３０％からなるニット）を、前記機能性付与剤を１５０ｇ／Ｌとなるように水で希釈した液に浸漬後、ピックアップ率１００％となるようにマングルで絞り、１００℃で５分間予備乾燥した。次いで、１７０℃で１分間熱処理してエステ用の手足保護カバー具とした。【００５６】
就寝時に、かかる保護カバー具で片方の手足を覆い、他方の手足は保護カバー具なしで、１週間経過した後、手足の状態を、マイクロスコープ写真で比較した。その結果、保護カバー具をした手足は、保護カバーをしなかった手足に比べ、肌の潤いが増し、皺が除去された。【００５７】
本明細書中で引用した全ての刊行物、特許及び特許出願をそのまま参考として本明細書中にとり入れるものとする。
【産業上の利用可能性】
【００５８】
本発明は機能性繊維製品の分野で利用される。
【国際調査報告】
2006120851.tif 000002
2006120851.tif 000003
2006120851.tif 000004
2006120851.tif 000005